(57)【要約】【課題】蓋部材の開閉状態を示す信号を発生する検出手段を、既存の構成部材を兼用して構成することで部品点数の削減と省スペース化を可能にし、機器の小型化、低コスト化を達成した電子機器を提供する。【解決手段】導電部を有する被接触部材１６と付勢手段１５とにより蓋部材１２の開閉状態を示す信号を発生する検出手段１３を構成し、被接触部材１６を、操作部１４ｂにより蓋開閉部材１４が係止位置から係止解除位置へと移動されられることに伴って付勢手段１５の一端１５ｂが位置する移動領域に配置し、付勢手段１５の一端１５ｂと被接触部材１６とが接触して導通状態になるか否かで、蓋部材１２の開閉状態を検出するようにした構成にしている。【選択図】図１
2005128248.tif 000002
【特許請求の範囲】
【請求項１】
筐体に対して開閉可能な蓋部材と、前記蓋部材に設けられた爪部に進入して前記蓋部材を閉状態に保持する係止位置と前記爪部より退避して前記蓋部材の開状態を許容する係止解除位置との間を移動可能な蓋開閉部材と、前記筐体と前記蓋開閉部材の間に具備され、前記蓋開閉部材を前記係止位置に保持するように前記蓋開閉部材を付勢する導電性を有する付勢手段とを有する電子機器において、
導電部を有する被接触部材と前記付勢手段とにより前記蓋部材の開閉状態を示す信号を発生する検出手段を構成し、
前記被接触部材を、前記蓋開閉部材が前記係止位置から前記係止解除位置へと移動させられることに伴って前記付勢手段の一端が位置する移動領域に配置し、前記付勢手段の一端と前記被接触部材とが接触して導通状態になるか否かで、前記蓋部材の開閉状態を検出するようにしたことを特徴とする電子機器。
【請求項２】
前記付勢部材は、前記一端が前記蓋開閉部材に連結され、他端が前記筐体に連結され、前記蓋開閉部材を前記係止位置に保持するように付勢していることを特徴とする請求項１に記載の電子機器。
【請求項３】
前記検出手段は、前記付勢部材の前記一端が前記被接触部材に接触することで、前記蓋部材が閉状態にあることを示す信号、もしくは、前記蓋部材が開状態にあることを示す信号を発生することを特徴とする請求項１又は２に記載の電子機器。
【請求項４】
筐体に対して開閉可能な蓋部材と、前記蓋部材に設けられた爪部に進入して前記蓋部材を閉状態に保持する係止位置と前記爪部より退避して前記蓋部材の開状態を許容する係止解除位置との間を移動可能な蓋開閉部材とを有する電子機器において、
前記蓋開閉部材を導電性材料より構成するとともに、前記蓋開閉部材に、該蓋開閉部材と前記筐体上に設けられた導電部との間に具備され該蓋開閉部材を前記係止位置に保持するように付勢する導電性を有する付勢部と接触部とを一体に形成し、
導電部を有する被接触部材と前記蓋開閉部材の前記接触部とにより前記蓋部材の開閉状態を示す信号を発生する検出手段を構成し、
前記被接触部材を、前記蓋開閉部材が前記係止位置から前記係止解除位置へと移動させられることに伴って前記接触部が位置する移動領域に配置し、前記接触部と前記被接触部材とが接触して導通状態になるか否かで、前記蓋部材の開閉状態を検出するようにしたことを特徴とする電子機器。
【請求項５】
前記検出手段は、前記蓋開閉部材の前記接触部が前記被接触部材に接触することで、前記蓋部材が閉状態にあることを示す信号、もしくは、前記蓋部材が開状態にあることを示す信号を発生することを特徴とする請求項４に記載の電子機器。
【請求項６】
前記被接触部材は、弾性部材から構成される、もしくは、弾性的に保持されることを特徴とする請求項１ないし５のいずれかに記載の電子機器。
【発明の詳細な説明】
【技術分野】
【０００１】
本発明は、筐体に対して開閉可能な蓋部材や蓋開閉部材を有するカメラ等の電子機器に関するものである。
【背景技術】
【０００２】
図４を用いて従来のカメラ（例えば、特許文献１）における背蓋等の蓋部材の開閉状態の検出に関する構成等について説明する。
【０００３】
カメラ本体４１には、カメラを構成するための不図示の鏡筒、ストロボ、ファインダ、給送機構、実装、外装部材などが取り付けられる。また、カメラ本体４１には蓋部材４２が開閉可能に設けられており、該蓋部材４２の開閉操作および該蓋部材４２を閉状態に保持するための蓋開閉部材４３がカメラ本体４１に対し摺動可能に設けられている。蓋開閉部材４３はバネ等の付勢部材４４により図４のＹ方向に付勢されており、蓋開閉部材４３の爪部４３ａと蓋部材４２に設けられた爪部４２ａとが係合することで蓋部材４２がカメラ本体４1に対して閉状態が保持される。
【０００４】
図４のカメラには図示しないフィルム自動装填機構が設けられており、フィルムを所定の位置に配置して、蓋部材４２を閉じると自動的にカメラ本体４１に内蔵されたこのフィルム自動装填機構によりフィルムが所定位置まで巻き取られる。この際、蓋部材４２の開閉状態を検出されるためにカメラに設けられている検出手段４５により蓋部材４２が閉状態にあることを検出すると、不図示の内蔵モータによりフィルムの自動装填が開始される。ここで、図４における検出手段４５は二つの接片４５ａ，４５ｂから構成されるスイッチであり、通常は二つの接片４５ａ，４５ｂは互いに接触しない領域に配置されている。蓋開閉部材４３の、付勢部材４４の付勢方向（図４のＹ方向）とは反対の方向に移動させる開方向への操作がなされると、その凸部４３ｂが検出手段４５の可動側接片４５ａを押し下げ、二つの接片４５ａ，４５ｂが当接し、電気的な導通が行われ、不図示のカメラマイコンにより蓋部材４２の開状態が判定されることになる。
【０００５】
また、類似の従来例として、図５に示すような検出手段５６を備えたカメラもあり、図４に示すカメラとは蓋部材５２の開閉状態を検出するための検出手段５６の構成が異なっている。
【０００６】
図５のカメラ本体５１には図４に示すカメラと同様に蓋開閉部材５３が設けられており、該蓋開閉部材５３には開閉状態を検出するための検出手段５５の接片５５ａが設けられていて、蓋開閉部材５３の移動に追従して接片５５ａも同一方向に移動する。ここで、接片５５ａは基板５６上を蓋開閉部材５３の動きに伴って摺動するように配置されており、基板５６上の接片５５ａの移動経路には導体パターン５６ａが設けられている。蓋開閉部材５３の開操作（Ｙ方向とは反対の方向）を行うことで離散した複数のパターン間に導通が行われ、不図示のカメラマイコンが蓋部材５２の開閉状態を判定することになる。
【特許文献１】特開平７−２８１２６号公報
【発明の開示】
【発明が解決しようとする課題】
【０００７】
従来のカメラにおいては、図４及び図５に示すように蓋部材の開閉状態を検出するための専用の検出手段４５，５５が設けられており、この検出手段４５，５５を配置するために大きなスペースが必要とされ、カメラのレイアウトに制約を加えるとともにカメラの小型化を妨げる要因の一つとなっていた。また、専用の検出手段４５，５５が必要とされるため、部品点数が増大し、カメラのコストアップを招いていた。
【課題を解決するための手段】
【０００８】
上記課題を解決するため、請求項１に記載の発明は、筐体に対して開閉可能な蓋部材と、前記蓋部材に設けられた爪部に進入して前記蓋部材を閉状態に保持する係止位置と前記爪部より退避して前記蓋部材の開状態を許容する係止解除位置との間を移動可能な蓋開閉部材と、前記筐体と前記蓋開閉部材の間に具備され、前記蓋開閉部材を前記係止位置に保持するように前記蓋開閉部材を付勢する導電性を有する付勢手段とを有する電子機器において、導電部を有する被接触部材と前記付勢手段とにより前記蓋部材の開閉状態を示す信号を発生する検出手段を構成し、前記被接触部材を、前記蓋開閉部材が前記係止位置から前記係止解除位置へと移動させられることに伴って前記付勢手段の一端が位置する移動領域に配置し、前記付勢手段の一端と前記被接触部材とが接触して導通状態になるか否かで、前記蓋部材の開閉状態を検出するようにした電子機器としている。
【０００９】
上記構成においては、蓋開閉部材を係止位置に保持するように該蓋開閉部材を付勢する導電性を有する付勢手段を、検出手段の構成要素の一つとして兼用するようにしている。
【００１０】
また、請求項４に記載の発明は、筐体に対して開閉可能な蓋部材と、前記蓋部材に設けられた爪部に進入して前記蓋部材を閉状態に保持する係止位置と前記爪部より退避して前記蓋部材の開状態を許容する係止解除位置との間を移動可能な蓋開閉部材とを有する電子機器において、前記蓋開閉部材を導電性材料より構成するとともに、前記蓋開閉部材に、該蓋開閉部材と前記筐体上に設けられた導電部との間に具備され該蓋開閉部材を前記係止位置に保持するように付勢する導電性を有する付勢部と接触部とを一体に形成し、導電部を有する被接触部材と前記蓋開閉部材の前記接触部とにより前記蓋部材の開閉状態を示す信号を発生する検出手段を構成し、前記被接触部材を、前記蓋開閉部材が前記係止位置から前記係止解除位置へと移動させられることに伴って前記接触部が位置する移動領域に配置し、前記接触部と前記被接触部材とが接触して導通状態になるか否かで、前記蓋部材の開閉状態を検出するようにした電子機器としている。
【００１１】
上記構成においては、蓋開閉部材に一体に形成した接触部を、つまり該蓋開閉部材自体を検出手段の構成要素の一つとして用いるようにしている。
【発明の効果】
【００１２】
本発明によれば、蓋部材の開閉状態を示す信号を発生する検出手段を、既存の構成部材を兼用して構成することで部品点数の削減と省スペース化を可能にし、機器の小型化、低コスト化を達成した電子機器を提供できるものである。
【発明を実施するための最良の形態】
【００１３】
以下の実施例１及び実施例2に示す通りである。
【実施例１】
【００１４】
図１は本発明の実施例１に係わる検出手段を具備したカメラ本体を示す斜視図である。
同図において、カメラ本体１１には、カメラを構成するための不図示のレンズ鏡筒、ストロボ、ファインダ機構、給送機構、実装、外装部材などが取り付けられる。また、不図示のフィルム自動装填機構が組み込まれており、不図示のフィルムの先端を所定の位置に配置して蓋部材１２が閉状態にされると蓋部材１２の開閉状態を検出する、後述の付勢部材１５及び被接触部材１６とにより構成される検出手段１３によって開閉状態が判定され、カメラ本体１１に内蔵されたこのフィルム自動装填機構によってフィルムは１駒目まで自動的に巻き取られ、撮影準備が完了する。
【００１５】
また、カメラ本体１１には蓋部材１２が開閉可能に設けられるとともに、該蓋部材１２の開閉操作および該蓋部材１２をカメラ本体１１に対して閉状態に保持するための蓋開閉部材１４が摺動可能に配置されている。引張バネ等の導電性部材よりなる付勢部材１５は一端の固定側フック１５ａがカメラ本体１１に、他端の移動側フック１５ｂが蓋開閉部材１４にそれぞれ連結され、蓋開閉部材１４を常に蓋部材１２を閉状態に保持する方向（図１におけるＹ方向）に付勢している。カメラ本体１１に対する蓋部材１２の閉状態の保持は、該蓋部材１２に設けられた係合爪１２ａと蓋開閉部材１４に設けられた係合爪１４ａとが係合することで行われる。
【００１６】
蓋部材１２の開操作は蓋開閉部材１４に設けられている操作部１４ｂを付勢部材１５の荷重を大きくする方向（本実施例１では付勢部材１５である引張バネをさらに引っ張る方向：Ｙ方向とは反対の方向）に移動させると、蓋部材１２の係合爪１２ａと蓋開閉部材１４の係合爪１４ａとの係合が解除され、蓋部材１２は開状態となる。この時、蓋開閉部材１４に設けられた係止爪１４ｃがカメラ本体１１に設けられた係止部１１ａと係合することで蓋開閉部材１４は開状態位置に保持される。付勢部材１５の固定側フック１５ａには不図示のリード線や基板などによって不図示のカメラを制御するカメラマイコンに電気的に接続されている。一方、移動側フック１５ｂの移動領域には導電性の被接触部材１６が配置されており、被接触部材１６は弾性部材で構成されたり、弾性的に保持されて移動側フック１５ｂとの接触不良の低減が図られている。被接触部材１６は固定側フック１５ａと同様に不図示のリード線や基板などによってカメラマイコンに電気的に接続されており、蓋部材１２が閉状態にある場合には移動側フック１５ｂと被接触部材１６とは非導通状態にあるものとする。
【００１７】
ここで、蓋部材１２を開ける場合について説明を行う。蓋開閉部材１４の操作部１４ｂが蓋部材１２を開状態にする方向（図１のＹ方向と反対の方向）に操作されると、蓋開閉部材１４に設けられた係止爪１４ｃが蓋部材１２の係合爪１２ａの上端門部１２ａ’を該蓋部材１２が開く方向に押すことになり、蓋部材１２は開く。この際、蓋開閉部材１４の移動に伴って移動側フック１５ｂが被接触部材１６上を移動し、可動側フック１５ｂと被接触部材１６が当接して電気的な導通が開始される。よって、不図示のカメラマイコンにあらかじめ、移動側フック１５ｂと被接触部材１６とが導通状態にある場合には蓋部材１２は開状態にあり、非導通状態にある場合には蓋部材１２は閉状態にあると予め記憶させておくことで、蓋部材１２が閉状態から開状態になったことを検出が可能となる。この際、上記したように蓋開閉部材１４に設けられた係止爪１４ｃがカメラ本体１１に設けられた係止部１１ａと係合することにより、蓋開閉部材１４は開状態位置に保持される。
【００１８】
次に、蓋部材１２を閉める場合について説明を行う。蓋開閉部材１４の操作部１４ｂが図１のＹ方向と反対の方向へ更に操作されると、蓋部材１２の係合爪１２ａを開状態に保持している蓋開閉部材１４の係止爪１４ｃが押し下げられ、該係止爪１４ｃとカメラ本体１１の係止部１１ａとの係合が解除され、この状態で蓋部材１２の閉じ動作が行われるとその係止爪１２ａの上端門部１２ａ’が係止爪１４ｃを押して該係止爪１４ｃが上方に移動したとしてもカメラ本体１１の係止部１１ｃと係合することの無い状態となる。よって、付勢部材１５の付勢力によって蓋開閉部材１４は図１のＹ方向に移動し、再び図１に示すように蓋部材１２の係合爪１２ａと蓋開閉部材１４の係合爪１４ａが係合するようになり、蓋部材１２はカメラ本体１１に対して閉状態に保持されることになる。上記のように蓋開閉部材１４が蓋部材１２の閉じ動作に伴って図１のＹ方向に移動すると、それまで当接していた付勢部材１５の移動側フック１５ｂは被接触部材１６から退避し、電気的に非導通状態となり、不図示のカメラマイコンによって蓋部材１２は閉状態にあると判定され、フィルムの自動装填が開始される。
【００１９】
以上の実施例１によれば、蓋部材１２の開閉状態を検出するための検出手段１３を、蓋開閉部材１４を付勢するための付勢部材１５と被接触部材１６により構成している、つまり検出手段の構成要素として付勢部材を兼用するようにしているので、図４及び図５に示すような二つの切片等により専用の検出手段を構成するものに比べ、カメラのレイアウトに制約を受けることなく小型化に適したものとなり、さらには部品点数を減らす事によりカメラのコスト低減化を図ることができる。
【００２０】
なお、上記実施例１では、蓋部材１２が閉状態にあるときに検出手段（導電材よりなる付勢部材１５と同じく導電材よりなる被接触部材１６により構成される）１３は電気的に非導通状態にあり、蓋部材１２が開状態にあるときには導通状態としたが、各々の状態を自由に組み合わせてもよい。また、付勢部材１５は引張バネを用いた例を示したが、当然これに限定されるものではなく、異なった手段で蓋開閉部材１４を付勢してもよい。さらに、導通性を向上させるために付勢部材１５にめっき等の表面処理を行うことも有効である。
【００２１】
また、フィルム自動装填機構を備えたフィルムカメラの背蓋を例にして説明を行ったが、当然これに限定されるものではなく、フィルムカメラ以外に蓋部材の開閉状態を検出する必要のあるカメラ等の電子機器について適用できるものである。
【実施例２】
【００２２】
図２は本発明の実施例２に係わる検出手段を具備したカメラ本体を示す斜視図であり、図３は図２のカメラ本体の側面図である。
【００２３】
これらの図において、２１はカメラ本体であり、カメラを構成するための不図示のレンズ鏡筒、ストロボ、ファインダ機構、給送機構、実装、外装部材などが取り付けられる。また、不図示のフィルム自動装填機構が組み込まれており、不図示のフィルム先端をカメラの所定位置に配置して蓋部材２２が閉状態にされると蓋部材２２の開閉状態を検出する、後述の蓋開閉部材２４の接触部２４ｄと第２の被接触部材２６により構成される検出手段２３によって蓋部材２２の開閉状態が判定され、カメラ本体２１に内蔵されたこのフィルム自動装填機構によってフィルムは１駒目まで自動的に巻き取られ、撮影準備が完了となる。
【００２４】
また、カメラ本体２１には蓋部材２２が開閉可能に設けられており、該蓋部材２２に開閉操作および蓋部材２２をカメラ本体２２に対して閉状態に保持するための蓋開閉部材２４がカメラ本体２１に対して摺動可能に配置されている。蓋開閉部材２４には、係合爪２４ａと操作部２４ｂと係止爪２４ｃと接触部２４ｄと付勢部２４ｅとが設けられており、これらは導電性の材料で一体に形成されている。付勢部２４ｅは上記のように蓋開閉部材２４に一体的に設けられており、カメラ本体２１の突出部２１ｂに対する付勢部２４ｅの作用により蓋開閉部材２４は常に蓋部材２２を閉状態に保持する方向（図２におけるＹ方向）に付勢されている。カメラ本体２１に対する蓋部材２２の閉状態の保持は、蓋部材２２に設けられた係合爪２２ａと蓋開閉部材２４に設けられた係合爪２４ａとが係合することで行われる。
【００２５】
ここで、蓋部材２４を開ける場合について説明を行う。蓋開閉部材２４の操作部２４ｂが蓋部材１２を開状態にする方向（付勢部２４ｅの荷重を大きくする方向：図２のＹ方向と反対の方向）に操作されると、蓋部材２２の係合爪２２ａと蓋開閉部材２４の係合爪２４ａとの係合が解除され、その後、蓋開閉部材２４に設けられた係止爪２４ｃが蓋部材２２の係合爪２２ａの上端門部２２ａ’を該蓋部材２２が開く方向に押すことになり、蓋部材２２は開く。そして、蓋開閉部材２４に設けられた係止爪２４ｃがカメラ本体２１に設けられた係止部２１ａと係合するようになり、蓋開閉部材２４が開状態位置に保持される。
【００２６】
カメラ本体２１の突出部２１ｂ上には導電性部材よりなる第１の被接触部材２５が設けられており、不図示のカメラマイコンへ電気的に接続されている。蓋開閉部材２４の付勢部２４ｅは突出部２１ｂに配置された第１の被接触部材２５に絶えず弾性的に接触しているため、常時カメラマイコンとの電気的接続が可能となっている。また、蓋開閉部材２４の接触部２４ｄの移動領域には導電部である第１の被接触部材２５と同様に導電性部材から構成され、蓋開閉部材２４の接触部２４ｄの移動量に応じて電気的に導通する部分と非導通部分とが設けられる第２の被接触部２６が設けられており、該第２の被接触部材２６と蓋開閉部材２４の接触部２４ｄとにより蓋開閉部材２４の開閉状態を検出する検出手段２３を構成している。上記のように蓋開閉部材２４の開操作が行われると、該蓋開閉部材２４の移動に伴い接触部２４ｄが第２の被接触部材２６上を移動し、接触部２４ｄが第２の被接触部材２６の導通する部分の領域に到達すると電気的な導通が開始されることになる。よって、カメラマイコンにあらかじめ、接触部２４ｄと第２の被接触部材２６とが導通状態にある場合には蓋部材２２は開状態にあり、接触部２４ｄと第２の被接触部材２６とが非導通状態にある場合には蓋部材２２は閉状態であると記憶させておくことで、上記のように接触部２４ｄと第２の被接触部材２６とが導通状態になることで蓋部材２２が閉状態から開状態になったことを不図示のカメラマイコンは検出することが可能となる。
【００２７】
次に、蓋部材２２を閉める場合について説明を行う。蓋開閉部材２４の操作部２４ｂが図１のＹ方向と反対の方向へ更に操作されると、蓋部材２２の係合爪２２ａを開状態に保持している蓋開閉部材２４の係止爪２４ｃが押し下げられ、該係止爪２４ｃとカメラ本体２１の係止部２１ａとの係合が解除され、この状態で蓋部材２２の閉じ動作が行われるとその係止爪２２ａの上端門部２２ａ’が係止爪２４ｃを押して該係止爪２４ｃが上方に移動したとしてもカメラ本体２１の係止部２１ａと係合することの無い状態となる。よって、付勢部２４ｅの付勢力によって蓋開閉部材２４は図中のＹ方向に移動し、蓋部材２２の係合爪２２ａと蓋開閉部材２４の係合爪２４ａとが係合することで蓋部材２２はカメラ本体２１に対して閉状態が保持される。ここで、蓋開閉部材２４が蓋部材２２の閉動作に伴って図２のＹ方向に移動すると、それまで当接していた蓋開閉部材２４に設けられる接触部２４ｄは第２の被接触部材２６の導通する部分から非導通部分の領域へと移動し、電気的に非導通状態となり、不図示のカメラマイコンによって蓋部材２２は閉状態にあると判定され、フィルムの自動装填が開始される。
【００２８】
以上の実施例２によれば、蓋部材１２の開閉状態を検出するための検出手段２３を、導電性部材よりなる蓋開閉部材２４の一部として一体に形成された接触部２４ｄと平板状で配置スペースの殆んど必要のない第２の被接触部材２６により構成している、つまり検出手段の構成要素として蓋開閉部材２４を兼用するようにしているので、図４及び図５に示すような二つの切片等により専用の検出手段を構成するものに比べ、カメラのレイアウトに制約を受けることなく小型化に適したものとなり、さらには部品点数を減らす事によりカメラのコスト低減化を図ることができる。
【００２９】
なお、上記実施例２では、蓋部材２２が閉状態にあるときに検出手段２３は電気的に非導通状態にあり、蓋部材２２が開状態にあるときには導通状態にある例を用いて説明を行ったが、各状態はこれに限るものではなく各々自由に組み合わせても良い。また、蓋開閉部材２４に設けられる付勢部の形状も一例にすぎず、当然これに限定されるものではない。また、導電性能を向上させるために蓋開閉部材２４にめっき等の表面処理を行うことも有効な手段の一つである。さらに、蓋開閉部材２４に設けられた操作部２４ｂは蓋開閉部材２４と一体に形成される例で説明を行ったが、操作部２４ｂだけを別部材により構成し、蓋開閉部材２４と結合させることで蓋開閉部材２４と操作部２４ｂとが略一体になるように構成してももちろん良い。
【００３０】
また、この実施例２においてもフィルム自動装填機構を備えたフィルムカメラの背蓋を例にして説明を行ったが、当然これに限定されるものではなく、フィルムカメラ以外に蓋部材の開閉状態を検出するカメラ等の電子機器について適用できるものである。
【００３１】
上記各実施例によれば、蓋部材を閉状態に保持するために蓋開閉部材を付勢する為の付勢手段（図１の付勢部材１５）や蓋開閉部材２４（図２の付勢部２４ｅ）を検出手段１３や該検出手段２３の構成要素として兼用するようにしているので、省スペース化と部品点数削減によるコストダウンが可能となった。
【図面の簡単な説明】
【００３２】
【図１】本発明の実施例１における検出手段を備えたカメラの斜視図である。
【図２】本発明の実施例２における検出手段を備えたカメラの斜視図である。
【図３】本発明の実施例２における検出手段を備えたカメラの側面図である。
【図４】従来の検出手段を備えたカメラの斜視図である。
【図５】従来の検出手段を備えたカメラの斜視図である。
【符号の説明】
【００３３】
１１，２１        カメラ本体
１２，２２        蓋部材
１２ａ，２２ａ    係合爪
１３，２３        検出手段
１４，２４        蓋開閉部材
１４ａ，２４ａ    係合爪
１４ｂ，２４ｂ    操作部
１４ｃ，２４ｃ    係止爪
２４ｄ            接触部
２４ｅ            付勢部
１５              付勢部材
１６，２６        被接触部材
【図１】
2005128248.tif 000003
【図２】
2005128248.tif 000004
【図３】
2005128248.tif 000005
【図４】
2005128248.tif 000006
【図５】
2005128248.tif 000007